(57)【要約】【課題】利用者がミラーを使用したいのか、情報を見たいのかを判別できるようにし、用途に合わせて切り替わる情報表示機能付ミラーを提供することを目的とする。【解決手段】情報を表示する情報表示部と、この情報表示部の前面に配置され、情報表示部の起動している時に情報を透過表示し、情報表示部が起動してない時に鏡面として作用するハーフミラー部とからなる情報表示機能付ミラーにおいて、情報表示機能付ミラーの内部又は周辺に検出器と、さらにこの検出器の検出情報に基づき、あらかじめ設定された状態を認識した時に情報表示部の起動状態を制御する制御部を設けて、情報表示機能付ミラーを鏡面として使用するか、情報表示させるかを決定するようにした。【選択図】図１
2018069007.tif 000002
【特許請求の範囲】
【請求項１】
情報を表示する情報表示部と、この情報表示部の前面に配置され、前記情報表示部を起動している時に情報を透過表示し、前記情報表示部が起動してない時に鏡面として作用するハーフミラー部とからなる情報表示機能付ミラーにおいて、
前記情報表示機能付ミラーの内部又は周辺に検出器を設け、さらにこの検出器の検出情報に基づき、あらかじめ設定された状態を認識した時に前記情報表示部の起動状態を制御する制御部を設け、前記情報表示機能付ミラーを鏡面として使用するか、情報表示させるか、あるいは情報表示内容をどのようにするかを決定することを特徴とする情報表示機能付ミラー。
【請求項２】
前記検出器は、映像を撮影するカメラで構成し、あらかじめ設定した特定の画像又は映像を認識した時に前記情報表示部の起動状態を前記制御部に制御させることを特徴とする前記請求項１記載の情報表示機能付ミラー。
【請求項３】
前記検出器は、音声を入力するマイクで構成し、あらかじめ設定した特定の音声を認識した時に前記情報表示部の起動状態を前記制御部に制御させることを特徴とする前記請求項１記載の情報表示機能付ミラー。
【請求項４】
前記検出器は、情報表示機能付ミラーの前面に配置されたタッチセンサで構成し、あらかじめ設定した特定の位置をタッチしたことを認識した時に前記情報表示部の起動状態を前記制御部に制御させることを特徴とする前記請求項１記載の情報表示機能付ミラー。
【請求項５】
情報を表示する情報表示部と、この情報表示部の前面に配置され、前記情報表示部の起動している時に情報を透過表示し、前記情報表示部が起動してない時に鏡面として作用するハーフミラー部とからなる情報表示機能付ミラーにおいて、
前記情報表示機能付ミラーの内部又は周辺に、当該情報表示機能付ミラーの前面に位置した人を感知する第一の検出器と、この第一の検出器が感知した状態で前記情報表示部の起動の有無、又は起動状態における内容を選択するための第二の検出器を設け、この第二の検出器により前記情報表示機能付ミラーにおける前記情報表示部の起動状態の選択を受付け、前記情報表示部の起動状態を制御する制御手段とを設けたことを特徴とする情報表示機能付ミラー。
【請求項６】
前記第二の検出器を映像認識装置で構成し、さらに制御手段は、あらかじめ設定した特定の商品をこの映像認識装置で認識した時に情報表示部を停止し又は起動し、鏡面として又は情報を透過表示するようにしたことを特徴とする前記請求項５記載の情報表示機能付ミラー。
【請求項７】
前記第二の検出器を音声認識装置で構成し、さらに前記制御手段は、あらかじめ設定した特定の音声を前記音声認識装置で認識した時に前記情報表示部を停止し又は起動し、鏡面として又は情報を透過表示するようにしたことを特徴とする前記請求項５記載の情報表示機能付ミラー。
【請求項８】
前記第二の検出器をハーフミラー部の前面に設けたタッチセンサーで構成し、さらに前記制御手段は、あらかじめ設定した特定の前記タッチセンサーの接触位置を認識した時に前記情報表示部を停止し又は起動し、鏡面として又は情報を透過表示するようにしたことを特徴とする前記請求項５記載の情報表示機能付ミラー。
【発明の詳細な説明】
【技術分野】
【技術分野】
【０００１】  この発明は、例えば商業用、家庭用、公共機関用のミラーに適用される情報表示機能付ミラーに関するものである。
【背景技術】
【０００２】  一般に、ミラーは、商業用では、姿見、帽子、メガネ、ネクタイ、小物など商品を顧客が自分の姿とマッチしているかなど確認用に使用することが多い。また家庭用でも、商業用と同様に使用者の姿見などに利用するほか、公共機関でも銀行、役所、公共トイレなど単に使用者が自身を見る以外に周囲の安全、防犯、等々その他において日常生活においては必要不可欠なものとなっている。【０００３】  このように、ミラーは姿見用をはじめとしてのミラー等のように各個人で用いられる他、商店街やコンビニエンスストア等の防犯用ミラー、デパートのミラーウォール、美容室や理容室のミラー等のように店舗にも設置されている。
【発明が解決しようとする課題】
【０００４】  ところで、これらのミラーは個人や店舗、公共用に用いられる場合、単に反射画像を映すだけの機能に止まるため、例えばメガネ店などにおいて、サングラスをかけた時に、利用客は確認するために使用する。しかし、商品を自分の目で見ているときには、それらミラーは、使用されずに設置されているだけである。
【０００５】  このように従来のミラーは、いたるところに設置されているものミラーとしてだけの機能しかない単機能であり、営業上効率的でないものであった。また、公共機関においては安全用、防犯用、等々にミラーとしての機能だけでなく注意、警告等やその他情報などの表示ができることが好ましい。家庭でも同様にミラーとしての単機能だけでなく各種の情報を表示させることでミラーと情報表示として両方の機能を持たせたものの需要が出つつあった。そのため特許文献１や特許文献２に示されるような情報表示機能付きのミラーが提案されてきた。
【先行技術文献】
【特許文献】
【０００６】
【特許文献１】  特開平１１−２４４１０９号公報
【特許文献２】  特開平１１−６５４９７号公報
【発明の概要】
【発明が解決しようとする課題】
【０００７】  例えば、特許文献１は、ハ−フミラ−と、その裏面を、外光を遮断するように覆った暗箱と、ハ−フミラ−の裏面に密着させた通光穴を有する遮蔽板と、暗箱の内部に設けた映像物と、その映像物を照明する照明灯から構成される。そして、人を検知するセンサーにより、人が鏡の前に位置した時に、ハーフミラーの映像物を出現させるというものが開示されている。【０００８】  同様に特許文献２でもハーフミラー兼電飾看板について開示しており、その構成は、看板表示面４として組込まれたハーフミラーと、該看板表示面４の背面側に着脱可能に設けられた透光性材料の表示内容部５であって看板表示面４に透視表示される任意の内容が描かれたものと、該表示内容部５の背面側に設置された冷陰極蛍光灯からなる光源６と、該光源６の背面側に設置された反射板９と、上記光源６の点灯，消灯を切り換え制御するコントロール部７と、コントロール部７に接続され看板表示面４の表面側に発生する光源切換要素を検出してその検出信号をコントロール部７に送信するセンサ８とを備えてなるものが開示されている。【０００９】  特許文献２によると、センサ８により、光源切換要素（例えば人間）が近づいたときに、自動的に切り替わり、ミラー又は看板として機能するようになっている。【００１０】  しかし、そもそもミラー（鏡）と情報を表示する電子掲示板は、利用者にとっては、近づいてもミラーであってほしい場合と、掲示物の情報を見たい場合とがあり、人が近づいたときに一義的にミラー、あるいは情報表示とは決められない場合が多い。そのためこれら情報表示機能付ミラーは、あまり普及していなかった。【００１１】  そこで、この発明は上記事情に鑑み、利用者がミラーを使用したいのか、情報を見たいのかを判別できるようにし、単純に人感センサーにより、人が近づいたときに切り替えるのではなく、用途に合わせて切り替わる情報表示機能付ミラーを提供することを目的とする。
【課題を解決するための手段】
【００１２】  本発明としての実施例は、情報を表示する情報表示部と、この情報表示部の前面に配置され、情報表示部を起動している時に情報を透過表示し、情報表示部が起動してない時に鏡面として作用するハーフミラー部とからなる情報表示機能付ミラーにおいて、情報表示機能付ミラーの内部又は周辺に検出器を設け、さらにこの検出器の検出情報に基づき、あらかじめ設定された状態を認識した時に情報表示部の起動状態を制御する制御部を設け、情報表示機能付ミラーを鏡面として使用するか、情報表示させるか、あるいは情報表示内容をどのようにするかを決定するようにしたものである。【００１３】  請求項２として、前記検出器は、映像を撮影するカメラで構成し、あらかじめ設定した特定の画像又は映像を認識した時に情報表示部の起動状態を制御部に制御させるようにしたものである。【００１４】  請求項３として、前記検出器は、音声を入力するマイクで構成し、あらかじめ設定した特定の音声を認識した時に情報表示部の起動状態を制御部に制御させるようにしたものである。【００１５】  さらに請求項４として、前記検出器は、情報表示機能付ミラーの前面に配置されたタッチセンサーで構成し、あらかじめ設定した特定の位置をタッチしたことを認識した時に情報表示部の起動状態を制御部に制御させるようにしたものである。【００１６】  また、請求項５以降で、少なくとも２つの検出器を設けた構成を採用した情報表示機能付きミラーは、
情報を表示する情報表示部と、この情報表示部の前面に配置され、前記情報表示部の起動している時に情報を透過表示し、前記情報表示部が起動してない時に鏡面として作用するハーフミラー部とからなる情報表示機能付ミラーにおいて、
前記情報表示機能付ミラーの内部又は周辺に、当該情報表示機能付ミラーの前面に位置した人を感知する第一の検出器と、この第一の検出器が感知した状態で前記情報表示部の起動の有無、又は起動状態における内容を選択するための第二の検出器を設け、この第二の検出器により前記情報表示機能付ミラーにおける前記情報表示部の起動状態の選択を受付け、前記情報表示部の起動状態を制御する制御手段とを設けた構成とした。【００１７】  そして請求項６において、前記第二の検出器を映像認識装置で構成し、さらに制御手段は、あらかじめ設定した特定の商品をこの映像認識装置で認識した時に情報表示部を停止し又は起動し、鏡面として又は情報透過表示するように構成した。【００１８】  さらに請求項７において、前記第二の検出器を音声認識装置で構成し、前記制御手段は、あらかじめ設定した特定の音声をこの音声認識装置で認識した時に情報表示部を停止又は起動し、鏡面として又は情報を透過表示するように構成した。【００１９】  また請求項８では、前記第二の検出器をハーフミラー部の前面に設けたタッチセンサーで構成し、さらに前記制御手段は、あらかじめ設定した特定の前記タッチセンサーの接触位置を認識した時に前記情報表示部を停止又は起動し、鏡面として又は情報を透過表示するように構成した。
【図面の簡単な説明】
【００２０】
【図１】本発明の実施例１における情報表示機能付ミラーの制御系説明図。
【図２】本発明の図１における情報表示機能付ミラーの構造説明図。
【図３】本発明の図１における報表示機能付ミラーの外観の正面説明図。
【図４】本発明の図１における情報表示機能付ミラーの外観の側面説明図。
【図５】本発明の情報表示機能付ミラーの使用状態説明図。
【図６】本発明の報表示機能付ミラーの使用におけるフロー説明図。
【図７】本発明の情報表示機能付ミラーの使用における正面の説明図。
【図８】本発明の情報表示機能付ミラーの使用における正面の説明図。
【発明を実施するための形態】
【００２１】  本発明を実施するための形態は、以下の好ましい実施例の説明を添付図面と照らし合わせて説明するものであって、本発明の範囲を限定するものではない。
【００２２】  本発明の情報表示機能付ミラー１は、図１に示すように情報を表示する情報表示部２と、この情報表示部２の前面に配置され、前記情報表示部２が起動している時に情報を透過表示し、情報表示部２が起動してない時に鏡面として作用するハーフミラー部３（図２参照）とからなる情報表示機能付ミラー１であって、この情報表示機能付ミラー１の内部又は周辺に検出器（カメラ５）が設けられている。そして、この検出器５の検出情報に基づき、あらかじめ設定された状態を認識した時に情報表示部２の起動状態を制御する制御部６により、情報表示機能付ミラー１を鏡面として使用するか、情報表示させるかを決定するものである。
【００２３】  この検出器（カメラ５）は、例えば映像を撮影するカメラで構成した場合、あらかじめ設定した特定の画像又は映像を認識した時に情報表示部３の起動状態を制御部６に制御させることで達成できる。
【００２４】  さらに情報表示機能付ミラー１の内部では、情報表示部２は、超高輝度モニターで構成され、この情報表示部２の電源のＯＮ／ＯＦＦがスイッチング電源７により制御部６の制御でコントロールされるようになっている。またカメラで構成される検出器５の画像がインターフェースを介して制御部６に入力され解析されるようになっている。
【００２５】  制御部には記憶部１１がインターフェースを介して接続され、情報表示部２に宣伝情報や各種の情報データが記憶されるほか、検出器（カメラ５）から入力されるデータに基づきスイッチング電源１１をコントロールするためのデータが記憶されている。
【００２６】  一方、制御部６は、センターコンピュータ１３で情報表示機能付ミラー１を直接操作したり、操作情報のデータ、情報表示部２での表示情報データを配信するためにＷｉＦｉルーター１２を介して接続されている。
【００２７】  また、情報表示機能付ミラー１の内部には、１個又は複数の温度センサー８、温度が異常に上がった時に駆動する１個又は複数のファン９、さらに温度センサー８、ファン９を適正にコントロールするための暖冷却エレメント１０が制御部６に接続されている。
【００２８】  図２に基づいて、情報表示機能付ミラー１の超高輝度モニターとして採用された情報表示部２、ハーフミラー部３、カメラ５で構成された検出器等の配置関係を説明する。ここでは、光透過率１５％〜５０％のハーフミラー３が採用され、さらにこの背面に１０００ｃｄｍ２（カンデラ）以上の超高輝度モニターで構成される情報表示部２が重なって配置されている。また、カメラで構成された検出器５は、情報表示部２の上部であって、ハーフミラー３及びモニタケース２１の裏面に貫通した透過穴２６が配置されている。この透過穴は、２ｍｍ径程度で構成され、モニターケースは、貫通したハーフミラー３は必ずしも物理的に貫通する必要はなく、反射面を設けず透過ガラス面を構成すればよい。
【００２９】  図３及び図４は、本発明の図１における報表示機能付ミラー１の外観の正面説明図と情報表示機能付ミラー１の外観の側面説明図であり、スタンド基部２３、スタンド２４により、適宜なテーブルなどに立てかけられて使用される。正面から見ると情報表示部２が起動していないときには、ハーフミラー３は、通常のミラー（鏡）として、使用される。
【００３０】  図３及び図４に示されるように、情報表示機能付ミラー１の外側は、情報表示機能付ミラーケース２２及び、前面周囲がモニターケース２１で固定されており、また情報表示機能付ミラー１は、設置されたテーブル面に対して傾斜した状態で設置できるようにスタンド２４に対して回転固定ネジ２５で傾斜した位置で固定できるようになっている。
【００３１】  次に、情報表示機能付ミラー１の使用状態を図５及び図６に基づいて、サングラスやメガネ販売店で使用された場合を説明する。情報表示機能付ミラー１は、電源を入れずに使用する場合が、通常のミラー（鏡）として使用できるが、電源を入れると初期設定（ステップ１０１）が行われ、情報表示部２は、あらかじめ設定された広告情報があらかじめ登録された数ページ表示が所定の時間（数秒間隔で）サイクリックで順次表示されるようになる（ステップ１０２）。
【００３２】  その間、検出器５で構成されるカメラから入力された映像が解析され（ステップ１０３）、情報表示モードが制御される（ステップ１０４）メイン電源がオフにならない限り（ステップ１０５）、この状態を繰り返される。
【００３３】  情報表示モードの制御は、例えば、サングラス売り場で図５に示される利用者Ｍが（サングラスをかけずに）情報表示機能付ミラー１の前に来た時には、設定された広告情報を閲覧している（図７の左）。そして、あらかじめ設定された映像として、たとえば利用者Ｍがサングラス３１を装着した時に（図７の右側に）、「どうぞメガネをおかけください。ミラーモードに変わります。」と表示されているときに、カメラで構成される検出器５で利用者がメガネをかけた映像が認識された場合には、情報表示部２は、情報表示の起動を停止し、ミラーモードになり、利用者Ｍがサングラス３１を装着した反射像で自分を確認できるようになっている（図８参照）。
【００３４】  情報表示機能付ミラー１における実施例では、以上のように検出器５をカメラで実施した例を示したが、例えば音声を入力するマイクであっても良い。その場合、利用者Ｍが情報表示機能付ミラー１の前に来た時に、あらかじめ設定したワード例えば、「ミラー」、「鏡」と発生したときに、情報表示部２は、情報表示の起動を停止し、ミラーモードになるようにしても良い。
【００３５】  前記検出器５は、カメラやマイクに替えて、情報表示機能付ミラーの前面にタッチパネルで構成し、あらかじめ設定した配置に触れた時に、情報表示部２は、情報表示の起動を停止し、ミラーモードになるようにしても良い。
【００３６】  このように、情報表示機能付ミラー１における検出器５をカメラ、以外にマイク、タッチパネルで構成するほか、単に情報表示機能付ミラー１の前に利用者Ｍが位置した時を検出するのではなく、なんらかの検出機能があり、しかも、情報表示機能付ミラー１のミラーを使いたいのか、情報表示をしてほしいのか意思を検出できるものであれば、検出器の種類は限定されない。
【００３７】  さらに上記実施例では、情報表示機能付ミラー１におけるメイン電源を入れた時の初期設定は情報表示に設定されているが、情報表示機能付ミラー１は、デフォルトにおいて、情報表示部２の電源を入れずにミラーモードにしておき、利用者Ｍが情報表示機能付ミラー１の前で、通常ミラーとして使用して、必要に応じて、検出器５をカメラとした場合に、例えば、「人差し指を立てた時」に情報表にモードにして、商品の詳細モードデータを表示したり、検出器５をマイクとした場合に、利用者Ｍが「サングラスの情報」という音声を発生した時に商品の詳細モードデータを表示してもよく、さらに検出器５をタッチパネルにした場合には、あらかじめ表示機能付ミラー１の前面側にタッチ部分に対応する位置に情報表示部２で指示しておき、そこをタッチした場合には、商品の詳細モードデータ等を表示するようにしてもよい。
【００３８】  また、上記実施例以外において、情報表示機能付ミラー１におけるメイン電源を入れた時の情報表示部２のデフォルト設定は、どのような目的で利用されるかによって選択すればよいものであるが、例えば商店などでは、通常の電子掲示板として情報を表示するものの利用者Ｍが、情報表示機能付ミラー１の前面に位置し、販売商品を身に着けたと認識した時には、情報表示部２の電源を遮断し、ミラーモードにしてもよく、また、必ずしも情報表示部２の電源を完全に遮断せず、情報表示部２の表示エリアを情報表示機能付ミラー１の前面周囲の一部又は邪魔にならないように表示面積を縮小するなど目的に応じて変更するよう制御してもよいものである。
【００３９】  このように本発明の情報表示機能付ミラー１は、検出器５により、利用者Ｍが情報表示機能付ミラー１の前面に位置した時に一義的にミラーモード、又は情報表示モードに変更させるのではなく、状況に応じて、変更することが可能となるので、情報表示機能付ミラー１は、商業用、公共用、個人用など利用範囲が広くなり用途が広がり産業上有益なものが提供できる。
【００４０】  また、ここまでの実施例では、検出器５を一つで構成したが、実施例を請求項５以降で示したように、情報表示機能付ミラーの内部又は周辺に、当該情報表示機能付ミラーの前面に位置した人を感知する第一の検出器と、この第一の検出器が感知した状態で情報表示部の起動の有無、又は起動状態における内容を選択するための第二の検出器を設け、この第二の検出器により情報表示機能付ミラーにおける情報表示部の起動状態の選択を受付け、情報表示部の起動状態を制御する制御手段とを設けるようにしてもよい。
【００４１】  その場合、例えば請求項６に示すようにあらかじめ、第一の検出器で情報表示機能付ミラーの前に人が存在することを検出した上で、例えば具体的な構成として、この第二の検出器を映像認識装置で構成し、制御手段が、あらかじめ設定した特定の商品をこの映像認識装置で認識した時に情報表示部を停止し又は起動し、鏡面として又は情報を透過表示するようにしても良い。
【００４２】  同様に、請求項７に示すように第二の検出器を音声認識装置で構成し、制御手段は、あらかじめ設定した特定の音声を音声認識装置で認識した時に情報表示部を停止し又は起動し、鏡面として又は情報を透過表示するようにしても良い。
【００４３】  さらに同様に、請求項８に示すように第二の検出器をハーフミラー部の前面に設けたタッチセンサーで構成し、制御手段は、あらかじめ設定した特定のタッチセンサーの接触位置を認識した時に情報表示部を停止し又は起動し、鏡面として又は情報を透過表示するようにしても良い。
【００４４】  このように、検出器を複数設けて、認識を確実にすることで、制御部の負荷を軽減し、確実な判定が行える。この場合においても情報表示部をＯＮ／ＯＦＦする以外に情報表示部の表示面積を全面表示、縮小表示等、状況に応じて、表示面積、表示位置を変更するようにしても良いものである。
【符号の説明】
【００４５】１…情報表示機能付ミラー
２…情報表示部
３…ハーフミラー部
５…検出器
６…制御部
７…スイッチング電源
８…温度センサー
９…ファン
１０…暖冷却エレメント
１１…記憶部
１２…センターコンピュータ
１３…センターコンピュータ
２１…モニターケース
２２…情報表示機能付ミラーケース
２３…スタンド基部
２４…スタンド
２５…回転固定ネジ
２６…透過穴
３１…サングラス
Ｍ…利用者
【図１】
2018069007.tif 000003
【図２】
2018069007.tif 000004
【図３】
2018069007.tif 000005
【図４】
2018069007.tif 000006
【図５】
2018069007.tif 000007
【図６】
2018069007.tif 000008
【図７】
2018069007.tif 000009
【図８】
2018069007.tif 000010